(57)【要約】【課題】  ユーザーが使用する上で、手間がかからず、使いやすく、削りカスが発生せず、またシール付きくじを利用して、各種キャンペーン等に応募する際、実用上問題が生じないで、使い勝手の良好なシール付きくじを提供することを目的とする。【解決手段】  第一基材の一方の面に、強接着部と擬似接着部を区分けして設け、それらの接着部の上に、第二基材、粘着剤層、剥離紙をこの順に積層し、擬似接着部と接する第一基材または、第二基材の表面に識別情報を設けた構成のシール付きくじである。あるいは、第一基材の一方の面に、剥離層、擬似接着層、第二基材、粘着剤層、剥離紙をこの順に積層し、擬似接着層と接する第二基材の表面、または剥離層と接する第一基材の表面に識別情報を設けた構成のシール付きくじである。【選択図】      図１
2008080767.tif 000002
【特許請求の範囲】
【請求項１】
第一基材の一方の面に、強接着部と擬似接着部を区分けして設け、それらの接着部の上に、第二基材、粘着剤層、剥離紙をこの順に積層し、擬似接着部と接する第一基材または、第二基材の表面に識別情報を設けたことを特徴とするシール付きくじ。
【請求項２】
前記の強接着部と擬似接着部を設けた区分の位置に接する位置に、第一基材にハーフカット加工が施されていること特徴とする請求項１に記載のシール付きくじ。
【請求項３】
前記のシール付きくじにおいて、外縁の一部に粘着剤層を設けない部分を配置させたことを特徴とする請求項１または２に記載のシール付きくじ。
【請求項４】
第一基材の一方の面に、剥離層、擬似接着層、第二基材、粘着剤層、剥離紙をこの順に積層し、擬似接着層と接する第二基材の表面、または剥離層と接する第一基材の表面に識別情報を設けたことを特徴とするシール付きくじ。
【請求項５】
前記のシール付きくじにおいて、外縁の一部に粘着剤層を設けない部分を配置させたことを特徴とする請求項４に記載のシール付きくじ。
【発明の詳細な説明】
【技術分野】
【０００１】
本発明はインスタントくじに関し、特に開封部を折り曲げると接着部が剥離しやすく、異なる接着力をもつ接着部を複数有し、製造上で生産性が高く、また製造コストが安く、ユーザーが使用する上で、手間がかからず、使いやすく、破れたごみや削りカスが発生しないインスタントくじに関するものである。
【背景技術】
【０００２】
スクラッチ部分を有する粘着剤付きくじ（シール付きくじ）が、特許文献１、２に示すように提案されているが、このようなくじは、スクラッチ部分の下に、パスワード等の識別情報を隠蔽することができる。
【０００３】
スクラッチ部分を有する粘着剤付きくじの応募、利用方法として、以下二通りが挙げられる。一つはスクラッチ部分を削って現れたパスワードをＰＣや携帯電話端末から応募する方法である。もう一つは、スクラッチ部分は削らないで、識別情報が隠蔽されたままのシールを葉書に貼って応募する方法である。この応募方法は、くじ裏面等に注意事項として記載されているが、くじを手にした消費者は注意事項を読む前にスクラッチ部分を削る場合が多いので、葉書で応募したい場合にくじが無効になることがあった。
【０００４】
コイン等で銀色の隠蔽部分を削るスクラッチタイプのシール付きくじは、隠蔽性を上げるためにアルミニウム等の銀インキを厚く塗る必要があり、コストがかかる。また、コイン等の道具を必要とし削りカスが出るため、食品を扱う店舗では衛生上好ましくない。
【特許文献１】特開２００２−２９１８６号公報
【特許文献２】特開２００２−１０３８６５号公報
【発明の開示】
【発明が解決しようとする課題】
【０００５】
そこで、本発明は、ユーザーが使用する上で、手間がかからず、使いやすく、削りカスが発生せず、またシール付きくじを利用して、各種キャンペーン等に応募する際、実用上問題が生じないで、使い勝手の良好なシール付きくじを提供することを目的とする。
【課題を解決するための手段】
【０００６】
以上の状況を鑑み、鋭意研究開発を進め、本発明に到った。すなわち、請求項１に記載のシール付きくじの発明は、第一基材の一方の面に、強接着部と擬似接着部を区分けして設け、それらの接着部の上に、第二基材、粘着剤層、剥離紙をこの順に積層し、擬似接着部と接する第一基材または、第二基材の表面に識別情報を設けたことを特徴とする。
【０００７】
請求項２に記載の発明は、請求項１に記載のシール付きくじにおいて、強接着部と擬似接着部を設けた区分の位置に接する位置に、第一基材にハーフカット加工が施されていること特徴とする。また、請求項３に記載の発明は、請求項１または２に記載のシール付きくじにおいて、外縁の一部に粘着剤層を設けない部分を配置させたことを特徴とする。
【０００８】
請求項４に記載のシール付きくじの発明は、第一基材の一方の面に、剥離層、擬似接着層、第二基材、粘着剤層、剥離紙をこの順に積層し、擬似接着層と接する第二基材の表面、または剥離層と接する第一基材の表面に識別情報を設けたことを特徴とする。また、請求項５に記載の発明は、請求項４に記載のシール付きくじにおいて、外縁の一部に粘着剤層を設けない部分を配置させたことを特徴とする。
【発明の効果】
【０００９】
本発明のシール付きくじは、大別すると２つの構成をとることができ、一つは、第一基材の一方の面に、強接着部と擬似接着部を区分けして設け、それらの接着部の上に、第二基材、粘着剤層、剥離紙をこの順に積層し、擬似接着部と接する第一基材または、第二基材の表面に識別情報を設けた構成である。また、もう一つは、第一基材の一方の面に、剥離層、擬似接着層、第二基材、粘着剤層、剥離紙をこの順に積層し、擬似接着層と接する第二基材の表面、または剥離層と接する第一基材の表面に識別情報を設けた構成である。いずれの構成においても、剥離紙を剥がして、粘着剤層を介して、葉書などに簡単に貼付することができる。また、擬似接着部（層）の部分で容易に分離でき、隠蔽されていた識別情報を認識することができる。したがって、シール付きくじを使用する際、手間がかからず、使いやすく、削りカスが発生することもなく、またシール付きくじを利用して、各種キャンペーン等に応募する際、実用上の問題も生じず、非常に使い勝手の良好なものである。
【００１０】
また、本発明のシール付きくじは、前者の構成において、強接着部と擬似接着部を設けた区分の位置に接する位置に、第一基材にハーフカット加工を施すことが好ましく、これにより、擬似接着部の部分で、第一基材と第二基材側とを容易に分離することができ、隠蔽されていた識別情報を認識しやすくすることができる。また、上記の大別される構成の両方ともに、シール付きくじの形態で、外縁の一部に粘着剤層を設けない部分、言い換えれば、粘着剤抜き部分を配置させることが好ましく、これによりシール付きくじの粘着剤層から、剥離紙を容易に剥がすことができる。
【発明を実施するための最良の形態】
【００１１】
本発明を図１、図２に示す最良の実施の形態に基づいて、詳細に説明する。
図１は、本発明のシール付きくじ１の一つの実施形態を示す概略図であり、第一基材２の一方の面に、強接着部３と擬似接着部４を区分けして設け、それらの接着部の上に、第二基材５、粘着剤層６、剥離紙７をこの順に積層し、擬似接着部４と接する第二基材５の表面に識別情報８を設けている。また、第一基材２にはハーフカット９加工が施されている。ハーフカット９加工は、強接着部３と擬似接着部４を設けた区分の位置に対応した箇所に設けられていて、このハーフカット９加工された箇所をきっかけとして、擬似接着部４の部分で、第一基材２と第二基材５とを剥がすことができる。
【００１２】
そして、剥がした後には、第二基材５の表面に有する識別情報８が露出して、認識できる。尚、上記の剥がす前では、識別情報８は、第一基材２と第二基材５と擬似接着部４により、隠蔽されていた。尚、図１では、識別情報８が第二基材５の表面に設けられているが、これに限らず、擬似接着部と接する第一基材の表面に、識別情報８を設けることも可能である。但し、第一基材と第二基材とが剥離した時に、擬似接着部を構成する接着剤が第二基材側に残存する場合、該接着剤は下に位置する識別情報を認識できるように、透明性を有するものが好ましい。また、図１で示したシール付きくじ１では、外縁の一部に粘着剤層６を設けない部分１０、言い換えれば粘着剤抜き部分を設けたものである。この粘着剤抜き部分を設けることにより、シール付きくじの粘着剤層から、剥離紙を容易に剥がすことができる。また、図示してはいないが、剥離紙を粘着剤層から剥がしやすくするために、剥離紙にスリット加工を施すことも可能である。
【００１３】
図２は、本発明のシール付きくじ１の他の実施形態を示す概略図であり、第一基材２の一方の面に、剥離層１１、擬似接着層４、第二基材５、粘着剤層６、剥離紙７をこの順に積層し、擬似接着層４と接する第二基材５の表面に、識別情報８を設けたものである。図２で示したシール付きくじ１では、外縁の一部に粘着剤層６を設けない部分１０、つまり粘着剤抜き部分を設けている。この粘着剤抜き部分を設けることにより、シール付きくじの粘着剤層から、剥離紙を容易に剥がすことができる。
【００１４】
図２（ａ）で剥離（１）と図示した箇所で、剥離紙７をシール付きくじ１の粘着剤層６から剥がしとる。（図２（ｂ）の上部を参照）そして、その粘着剤層６を使用して、葉書１２にシール付きくじ１を貼着する。（（図２（ｂ）の中部を参照）そして、シール付きくじ１が貼付された葉書１２は、応募先に郵送されて、識別情報等を確認して処理される。この場合は識別情報が隠蔽されたままで、シールを葉書に貼って応募する方法である。
【００１５】
また、他の使用方法として、上記と同様に剥離紙７をシール付きくじ１の粘着剤層６から剥がしとり（図２（ｂ）の上部を参照）、その粘着剤層６を使用して、机、本等の任意の物体１３にシール付きくじ１を貼着する。（（図２（ｂ）の中部を参照）次に、シール付きくじ１が任意の物体１３に貼られた状態で、第一基材２を擬似接着層４から剥がしとる。（図２（ａ）の剥離（２）の位置で剥がす。）すると、識別情報８が露出して、認識できるようになる。尚、上記の剥離（２）の剥がす前では、識別情報８は、第一基材２と第二基材５と擬似接着層４により、隠蔽されていた。尚、剥離（２）の位置で剥がす際、第一基材の擬似接着層４側には剥離層１１が設けられており、擬似接着層４から第一基材２が容易に剥がすことができる。この場合は、現れた識別情報が、例えばパスワードであり、そのパスワードをＰＣや携帯電話端末から、指定先に応募する方法である。この際、第一基材２を擬似接着層４から剥がしやすくするために、シール付きくじ１が粘着剤層６により、任意の物体１３に強固に接着させたものであり、擬似接着層４と粘着剤層６の接着力の差を有効に利用している。
【００１６】
以下、本発明のシール付きくじを構成する要素について、説明する。
（第一基材、第二基材）
第一基材、第二基材は、上質紙、アート紙、コート紙、キャストコート紙、合成樹脂又はエマルジョン含浸紙、合成ゴムラテックス含浸紙、合成樹脂内添紙、セルロース繊維紙等を使用することができる。また、上記の紙を原料にしたものでなく、ポリエステル樹脂、ポリエチレン樹脂、ポリプロピレン樹脂、ポリスチレン樹脂、アクリル樹脂等に、白色顔料や充填剤を加えて成膜した白色フィルム、あるいは上記の合成樹脂からなる基材シート内部にミクロボイドを有するシート等も用いられる。但し、識別情報を隠蔽しやすくために、不透明性の高いものが好ましい。これらの第一基材、第二基材の厚みは、通常３〜３００μｍ程度であり、本発明においては、取扱い適性等を考慮し、２０〜１７５μｍ程度のものを用いるのが好ましい。
【００１７】
（強接着部、擬似接着部）
強接着部３は、第一基材と第二基材とを強固に接着させる接着剤を塗工することで、形成される。また、擬似接着部（層）４は、第一基材と第二基材とを一体化するためのものであり、例えば、ウレタン系、アクリル系などの熱可塑性樹脂を使用することができ、フレキソ法、グラビア法などの公知の印刷法又はコーティング法によって、厚み０．１〜５０μｍ程度に塗布し、貼り合わせ後に、必要に応じて乾燥させる。第一基材と第二基材は、接着剤（又は樹脂）が乾燥していない状態で貼り合わせるウェット、又はセミウェットラミネート方式、熱圧着方式や感圧方式によって貼り合わせる。
【００１８】
第一基材に、強接着部と擬似接着部を区分けして設けるタイプのシール付きくじでは、図１で示したように、外縁（四辺）の１辺全体が擬似接着部が占有することがないように、強接着部が外縁を多く囲んで塗り分けるものが好ましい。それは、シール付きくじの取り扱い中に、誤って、擬似接着部から第一基材が剥がれることがないようにするためである。
【００１９】
（剥離層）
剥離層１１としては、シール付きくじの擬似接着層が第一基材から、容易に剥離できるような接着性の低い樹脂を使用することが好ましく、ポリエチレン、ポリプロピレン、ポリブチレン等のオレフィン系（共）重合体を用いることが最も好ましいが、他にも、ポリスチレン、ポリビニルブチラール、酢酸ビニル共重合体、エチレン−酢酸ビニル共重合体、塩化ビニル−酢酸ビニル共重合体、アクリル樹脂、セルロース樹脂等の熱可塑性樹脂及びこれらの混合物からなるフィルムでもよい。また、ポリウレタン等の熱硬化性樹脂等から形成されたフィルムを用いてもよい。さらに、所望に応じて、酸化防止剤、熱安定剤、紫外線吸収剤、スリップ剤、帯電防止剤、防曇剤、着色剤、フィラー等が添加されていてもよい。剥離層を形成するための樹脂の塗布量・塗布厚は特に限定されないが、好ましくは、塗布量は０．１〜１０μｍである。
【００２０】
（識別情報）
本発明のシール付きくじにおける識別情報８は、例えば、携帯電話やＰＣで各種のキャンペーン等に応募する際のパスワードや、「当たり」、「外れ」の文字や、「一等」、「二等」などの当選区分、あるいは当選した商品の具体名「テレビ」等を、記載させることができる。
【００２１】
上記の識別情報とは別に、第一基材の表面（接着部と接する側と反対側）や、第二基材の表面（接着部と接する側）に、例えば対象とするキャンペーンの説明等を印刷したり、あるいは可変情報をプリンターで印字したりすることが可能である。
【００２２】
（粘着剤層）
粘着剤層６は、葉書などにシール付きくじを貼付可能とする層であり、アクリル系粘着剤が最も好ましいが、天然ゴム系粘着剤、合成ゴム系粘着剤、シリコーンゴム系粘着剤等でもよい。粘着剤層を形成するための粘着剤の塗布量・塗布厚は特に限定されないが、好ましくは、塗布量は０．１〜５０ｇ／ｍ2であり、塗布厚は０．１〜５０μｍである。
【００２３】
（剥離紙）
本発明で使用する剥離紙７は、ポリエチレンをラミネートした紙基材や、シリコーン系樹脂の離型剤をプラスチックシートに塗工したもの等が使用できる。
【００２４】
（ハーフカット）
シール付きくじにおいて、強接着部と擬似接着部を設けた区分の位置に接する位置で、第一基材にハーフカット９加工を施すことができる。このハーフカットは、加工方法は限定するものではないが、一般的に、びく抜きの機械等で、所定の大きさを有したハーフカット加工のための刃型と台座との間に、シール付きくじを通して、第一基材を切断するハーフカット処理を施すことができる。
【００２５】
（粘着剤層を設けない部分）
本発明のシール付きくじにおいて、外縁の一部に粘着剤層を設けない部分１０を配置させることができるが、この粘着剤層を設けない部分は、上記に説明した粘着剤層が全く設けられていない部分であり、第二基材と剥離紙が重なった状態で、双方の用紙は全く接着していない部分である。
【図面の簡単な説明】
【００２６】
【図１】本発明のシール付きくじの一つの実施形態を示す概略図である。
【図２】本発明のシール付きくじの他の実施形態を示す概略図である。
【符号の説明】
【００２７】
１      シール付きくじ
２      第一基材
３      強接着部
４      擬似接着部（層）
５      第二基材
６      粘着剤層
７      剥離紙
８      識別情報
９      ハーフカット
１０      粘着剤層を設けない部分（粘着剤抜き部分）
１１      剥離層
１２      葉書
１３      任意の物体
【図１】
2008080767.tif 000003
【図２】
2008080767.tif 000004